(57)【特許請求の範囲】
【請求項１】
体毛の切断処理または体毛の脱毛処理を行う体毛処理部を具備する体毛処理器具本体と、体毛処理用の処理剤を体毛処理部近傍に吐出するための処理剤供給部とを備えた体毛処理器具であって、処理剤供給部に処理剤容器を着脱自在に取付け、処理剤容器を処理剤を充填する容器本体と、処理剤供給部に接続される接続口部とで構成し、接続口部に弾性を有する開閉弁を接続口部を塞いだ状態で取り付け、処理剤供給部に処理剤容器を取付けた状態においては処理剤供給部により押圧された開閉弁が弾性変形して接続口部を開き、且つ、処理剤供給部から処理剤容器を取外した状態においては開閉弁が弾性復帰して接続口部を塞いで閉じることを特徴とする体毛処理器具。
【請求項２】
上記開閉弁を接続口部を封止する厚肉部と、弾性を有する薄肉部とで構成して成ることを特徴とする請求項１記載の体毛処理器具。
【請求項３】
上記接続口部の孔を円形状に形成し、厚肉部を半球状に形成し、処理剤供給部に処理剤容器を取外した状態において厚肉部の外周面が接続口部に圧接され接続口部を閉じて成ることを特徴とする請求項２記載の体毛処理器具。
【請求項４】
上記容器本体を柔軟性を有する袋としたことを特徴とする請求項１〜３のいずれかに記載の体毛処理器具。
【請求項５】
上記容器本体を扁平に形成し、開閉弁を接続口部を封止する厚肉部と、弾性を有する薄肉部とで構成し、厚肉部を容器本体の厚み方向と同方向に変位し難いように又は変位しないように形成して成ることを特徴とする請求項４記載の体毛処理器具。
【請求項６】
上記厚肉部の容器本体の厚み方向と同方向における両端部付近に位置する薄肉部に長孔を設けて成ることを特徴とする請求項５記載の体毛処理器具。
【請求項７】
上記接続口部に薄肉部の容器本体の厚み方向と同方向における内側面に当接する当接突起を設けて成ることを特徴とする請求項５記載の体毛処理器具。
【請求項８】
処理剤容器の接続口部に着脱自在に取付けられる栓キャップを備えて成ることを特徴とする請求項１〜７のいずれかに記載の体毛処理器具。
【請求項９】
上記処理剤供給部の処理剤容器内の処理剤を体毛処理部に送る接続軸を接続口部に挿入し、接続軸の端面の当たり面を開閉弁の被当たり面に押し当てることで開閉弁を開いた状態にし、この開閉弁を開いた状態において接続軸の当たり面と開閉弁の接続軸の当たり面に対向する面と間の隙間が０．２〜３ｍｍになるように設定してなることを特徴とする請求項１記載の体毛処理器具。
【請求項１０】
処理剤の吐出量を０．０１〜１．０ｇ／分に設定してなることを特徴とする請求項１〜９のいずれかに記載の体毛処理器具。
【請求項１１】
上記開閉弁をエチレンプロピレンゴム（ＥＰＤＭ）、ニトリルブタジエンゴム（ＮＢＲ）、フッ素ゴムのうち少なくとも一種類以上の材料で形成してなることを特徴とする請求項１〜１０のいずれかに記載の体毛処理器具。
【請求項１２】
処理剤供給部を体毛処理部近傍に位置する吐出部と、処理剤容器内の処理剤を吐出部を介して体毛処理部付近に吐出する吐出手段とで構成し、体毛処理器具本体に着脱自在に取付けてなるカバーを設け、体毛処理器具本体に吐出手段を設け、カバーに処理剤容器と吐出部とを設けて成ることを特徴とする請求項１〜１１のいずれかに記載の体毛処理器具。
【発明の詳細な説明】
【０００１】
【発明の属する技術分野】
本発明は、処理剤容器を備えた体毛処理器具に関するものである。
【０００２】
【従来の技術】
従来から、特表２０００−５０００５５に示すような体毛処理器具が知られている。この従来の体毛処理器具は、体毛の切断処理または体毛の脱毛処理を行う体毛処理部を有し、袋状の処理剤容器に充填された体毛処理用の処理剤を体毛処理部近傍に吐出するための処理剤供給部とを備え、処理剤容器の接続口部は処理剤供給部に着脱自在に取り付けている。
【０００３】
上記構成を有することで体毛を処理する場合は処理剤容器内の処理剤を処理剤供給部によって体毛処理部近傍に供給し、体毛処理用の処理剤を皮膚に塗った状態で体毛処理部にて体毛処理を行っていた。
【０００４】
しかしながら、この従来の体毛処理器具は、処理剤容器の接続口部が開口しているために、処理剤容器を取り換える際に処理剤容器を傾けてしまった場合、この接続口部から処理剤が漏れ出してしまうという問題があった。また上記処理剤容器は袋状のため、処理剤容器を取り換える際に掴んだ場合接続口部から処理剤が溢れ出てしまっていた。また特表２０００−５１３０７７のように容器の開口に封止装置を設けた容器も知られているが、容器にニードルを取付ける際は、ニードルを差し込むことでニードルをバルブに係合させた後、さらにニードルを押し込むことで結合部材に取付けられたバルブを取り外す必要があり、取付けの際に大きな力が必要であった。
【０００５】
【発明が解決しようとする課題】
本発明は上記の点に鑑みてなされたものであり、その目的とするところは、処理剤容器を処理剤供給部から着脱する際に、処理剤容器内の処理剤がこぼれないようにし、小さな力で容易に着脱でき、使い勝手が良い体毛処理器具を提供することを課題とするものである。
【０００６】
【課題を解決するための手段】
上記課題を解決するために本発明に係る体毛処理器具は、体毛の切断処理または体毛の脱毛処理を行う体毛処理部６を具備する体毛処理器具本体１と、体毛処理用の処理剤を体毛処理部６近傍に吐出するための処理剤供給部とを備えた体毛処理器具であって、処理剤供給部に処理剤容器３を着脱自在に取付け、処理剤容器３を処理剤を充填する容器本体３１と、処理剤供給部に接続される接続口部９とで構成し、接続口部９に弾性を有する開閉弁３３を接続口部９を塞いだ状態で取り付け、処理剤供給部に処理剤容器３を取付けた状態においては処理剤供給部により押圧された開閉弁３３が弾性変形して接続口部９を開き、且つ、処理剤供給部から処理剤容器３を取外した状態においては開閉弁３３が弾性復帰して接続口部９を塞いで閉じることを特徴とするものである。
【０００７】
このように構成することで、処理剤供給部から処理剤容器３を着脱することで、開閉弁３３は弾性変形し接続口部９を開閉するため、小さな力で処理剤供給部に処理剤容器３を着脱することができる。また処理剤容器３を処理剤供給部から取り外した場合は開閉弁３３によって接続口部９を閉じるため、処理剤容器３を傾けたとしても処理剤がこぼれることがなく使い勝手が良くなる。さらに開閉弁３３は弾性を有しているので、処理剤容器３を処理剤供給部に取付けた状態において体毛処理器具が振動したとしても、処理剤供給部と開閉弁３３との接触部分での摩耗は少なく、処理剤の流路において目詰まりを起こすことがなくなる。
【０００８】
また請求項２記載の体毛処理器具は請求項１記載の体毛処理器具において、上記開閉弁３３を接続口部９を封止する厚肉部と、弾性を有する薄肉部とで構成して成ることを特徴とするものである。
【０００９】
上記のように構成することで、薄肉部の弾性変形を利用して小さな力で開閉弁３３を開閉できるようになり、且つ変形のし難い厚肉部によって接続口部９を確実に封止することができる。
【００１０】
また請求項３記載の体毛処理器具は請求項２記載の体毛処理器具において、上記接続口部９の孔を円形状に形成し、厚肉部を半球状に形成し、処理剤供給部から処理剤容器３を取り外した状態において厚肉部の外周面が接続口部９に圧接され接続口部９を閉じて成ることを特徴とするものである。
【００１１】
このように厚肉部を半球状に形成することで、接続口部９を開閉する際に接続口部９に対し厚肉部がずれたり、薄肉部が成形のバラツキ等により形状が多少変わったりしたとしても、半球状の厚肉部で円形状の接続口部９を確実に封止することができる。
【００１２】
また請求項４記載の体毛処理器具は請求項１〜３のいずれかに記載の体毛処理器具において、上記容器本体３１を柔軟性を有する袋としたことを特徴とするものである。
【００１３】
このような構成とすることで、処理剤容器３を圧縮するだけで容易に処理剤容器３内の処理剤を体毛処理部６近傍に供給できるようになる。
【００１４】
また請求項５記載の体毛処理器具は請求項４記載の体毛処理器具において、上記容器本体３１を扁平に形成し、開閉弁３３を接続口部９を封止する厚肉部と、弾性を有する薄肉部とで構成し、厚肉部を容器本体３１の厚み方向と同方向に変位し難いように又は変位しないように形成して成ることを特徴とするものである。
【００１５】
このような構成とすることで、処理剤容器３の取り換えの際において、開閉弁３３付近の処理剤容器３を容器本体３１の厚み方向と同方向に挟み込むように持ったとしても、開閉弁３３の厚肉部が変形することがなく、取り換えの際に接続口部９から処理剤容器３内の処理剤が漏れ出すことを防止することができる。
【００１６】
また請求項６記載の体毛処理器具は請求項５記載の体毛処理器具において、上記厚肉部の容器本体３１の厚み方向と同方向における両端部付近に位置する薄肉部に長孔３３６を設けて成ることを特徴とするものである。
【００１７】
このように薄肉部に長孔３３６を設けることで、処理剤容器３の取り換え時に開閉弁３３付近の処理剤容器３を容器本体３１の厚み方向と同方向に挟み込むように持ったとしても、長孔３３６によって厚み方向に挟み込む力が厚肉部に伝わることがなくなり、長孔３３６を設けるだけで厚肉部の変形を防止できる。
【００１８】
また請求項７記載の体毛処理器具は請求項５記載の体毛処理器具において、上記接続口部９に先端が薄肉部の処理剤容器３の厚み方向における内側面に当接する当接突起９２４を設けて成ることを特徴とするものである。
【００１９】
このように接続口部９に当接突起９２４を設けることで、薄肉部に容器本体３１の厚み方向に力がかかったとしても、薄肉部が変形することがなく、これによって厚肉部の変形を防止することができ、尚且つ当接突起９２４を設けていない箇所は薄肉部と接続口部９との間に隙間を形成するため、薄肉部は処理剤容器３の厚み方向以外の方向には変形しやすくなり、これによって処理剤容器３を着脱する際に少ない力で弾性変形することが可能となっている。
【００２０】
また請求項８記載の体毛処理器具は請求項１〜７のいずれかに記載の体毛処理器具において、処理剤容器３の接続口部９に着脱自在に取付けられる栓キャップ８を備えて成ることを特徴とするものである。
【００２１】
このように構成することで、処理剤容器３を処理剤供給部から取外した状態において、接続口部９を閉じることができ、より一層処理剤がこぼれ出ることを防止することができると共に外部から接続口部９内にゴミ等が入りこむことを防止することができる。
【００２２】
また請求項９記載の体毛処理器具は請求項１記載の体毛処理器具において、上記処理剤供給部の処理剤容器３内の処理剤を体毛処理部６に送る接続軸５７０を接続口部９に挿入し、接続軸５７０の端面の当たり面５７８を開閉弁３３の被当たり面３３８に押し当てることで開閉弁３３を開いた状態にし、この開閉弁３３を開いた状態において接続軸５７０の当たり面５７８と開閉弁３３の接続軸５７０の当たり面５７８に対向する面と間の隙間が０．２〜３ｍｍになるように設定してなることを特徴とするものである。
【００２３】
このように接続軸５７０の当たり面５７８と開閉弁３３の当たり面５７８に対向する面と間の隙間が０．２〜３ｍｍとすることで、隙間を３ｍｍよりも大きくなるように設定したものと比べて開閉弁３３の変形を抑え、これにより開閉弁３３は長期間処理剤容器３を取付けたとしても変形し難くなる。
【００２４】
また請求項１０記載の体毛処理器具は請求項１〜９のいずれかに記載の体毛処理器具において、処理剤の吐出量を０．０１〜１．０ｇ／分に設定してなることを特徴とするものである。
【００２５】
処理剤の吐出量を０．０１ｇ／分以上とすることで、処理剤によって肌に清涼感やしっとり感を与えることができ、且つ吐出量を１ｇ／分以下とすることで処理剤によって肌がべとつくことを防止することができる。
【００２６】
また請求項１１記載の体毛処理器具は請求項１〜１０のいずれかに記載の体毛処理器具において、上記開閉弁をエチレンプロピレンゴム（ＥＰＤＭ）、ニトリルブタジエンゴム（ＮＢＲ）、フッ素ゴムのうち少なくとも一種類以上の材料で形成してなることを特徴とするものである。
【００２７】
このようにエチレンプロピレンゴム（ＥＰＤＭ）、ニトリルブタジエンゴム（ＮＢＲ）、フッ素ゴムで開閉弁３３を形成することで、開閉弁３３の耐薬品性を向上することができ、またエチレンプロピレンゴム（ＥＰＤＭ）、ニトリルブタジエンゴム（ＮＢＲ）、フッ素ゴムはアルコール透過性が小さいため、特にアルコールを含んだ処理剤を用いた場合、アルコールの揮発を防止することができる。
【００２８】
また請求項１２記載の体毛処理器具は請求項１〜１１のいずれかに記載の体毛処理器具において、処理剤供給部を体毛処理部６近傍に位置する吐出部５と、処理剤容器３内の処理剤を吐出部５を介して体毛処理部６付近に吐出する吐出手段とで構成し、体毛処理器具本体１に着脱自在に取付けてなるカバー２を設け、体毛処理器具本体１に吐出手段を設け、カバー２に処理剤容器３と吐出部５とを設けて成ることを特徴とするものである。
【００２９】
このように吐出手段を体毛処理器具本体１に設けることで、カバー２着脱の際に吐出手段が邪魔にならず、吐出部５と処理剤容器３を設けたカバー２を容易に着脱することが可能となる。
【００３０】
【発明の実施の形態】
本発明を添付図面に示す実施形態に基づいて説明する。本実施形態における体毛処理器具は体毛（髭）の切断又は脱毛を行うものであって、この体毛処理器具は体毛の切断処理または体毛の脱毛処理を行う体毛処理部６を具備する体毛処理器具本体１と、体毛処理用の処理剤を体毛処理部６近傍に吐出するための処理剤供給部と、処理剤供給部に着脱自在に取付けられる処理剤容器３とを備えており、処理剤供給部は体毛処理部６近傍に位置する吐出部５と、処理剤容器３内の処理剤を吐出部５を介して体毛処理部６付近に吐出する吐出手段となる加圧手段４とで構成されている。
【００３１】
図２〜６に示すように体毛処理器具本体１の外面には着脱自在に配されているカバー２が設けられており、体毛処理器具本体１には加圧手段４を設け、カバー２には袋状の処理剤容器３と吐出部５とを設けている。
【００３２】
まず体毛処理器具本体１から説明すると、この体毛処理器具本体１は、図２に示すように筒状のハウジング１０内に駆動用のモータ１１と電源としての電池１２とをシャーシ１８を介して収納したもので、その上端に位置する体毛処理部６は、ネット状の外刃と往復駆動される内刃とからなるネット刃６１を２組備えるとともに、スリット状の外刃と往復駆動される内刃とからなるスリット刃６２を１組備えたものとなっており、これらにおける各内刃は、モータ１１の回転を往復動に変換する駆動子１４，１４とスリット刃用駆動子１５とに連結されている。図中１９はモータ１１のオンオフ用のスイッチである。また、ハウジング１０のカバー２を取付ける側の上端部には後述するカバー２に設けた引掛け爪２００が係合するための爪受け部１００が設けられている。またハウジング１０の側面の下端部にも後述するカバー２の凸部２３と嵌合する凹部が設けられている。
【００３３】
上記体毛処理器具本体１の一面にはカバー２が着脱自在に配されているとともに、下部には加圧手段４が設けられている。
【００３４】
図６に示すようにカバー２の両側面の上部には引掛け部用孔２１が設けられており、両引掛け部用孔２１には、カバー２の外側に突き出る着脱釦２０１と、前述した体毛処理器具本体１の爪受け部１００に係合する引掛け爪２００とで構成された引掛け部２０と、夫々の引掛け部２０に対して外側方に向けて弾性力を付与するばね２２とが設けられている。このカバー２を体毛処理器具本体１に取り付ける場合は、カバー２の凸部２３をハウジング１０の凹部に嵌合させると共にカバー２の着脱釦２０１をばね２２に抗して押し込んで、引掛け部２０の引掛け爪２００をハウジング１０の爪受け部１００付近に位置させた後、着脱釦２０１を離して引掛け爪２００を爪受け部１００に係合させることで行われる。またカバー２を取り外す場合は両引掛け部２０の着脱釦２０１を挟み込むように押すことで、引掛け爪２００と爪受け部１００との係合を解除すると共にカバー２を手前側に引くことで凹部と凸部２３の嵌合を解除して行われる。
【００３５】
上記カバー２には体毛処理器具本体１とカバー２との間の空間の上部に位置する吐出部５が一体に設けられており、吐出部５の下部には処理剤を貯えるための処理剤容器３が着脱自在に取り付けられている。このように体毛処理器具本体１に着脱自在に取付けてなるカバー２を設け、体毛処理器具本体１に加圧手段４を設け、カバー２に処理剤容器３と吐出部５とを設けることで、カバー２着脱の際にばね等の複雑な機構を設けた加圧手段４が邪魔にならず、吐出部５と処理剤容器３を設けたカバー２を容易に着脱することが可能となる。
【００３６】
また、本例における加圧手段４は、カバー２の内面との間で処理剤容器３を挟持することになる押さえ板４０と、上下一対の圧縮コイル型のばね４１，４１と、ばねを利用した一対のアクチュエータ４２，４２とからなるもので、体毛処理器具本体１の外面と押さえ板４０との間に配されたこれらばね４１，４１及びアクチュエータ４２，４２による付勢で押さえ板４０はカバー２の内面側に向けてばね付勢されており、このためにカバー２と押さえ板４０との間に処理剤容器３を配した時、処理剤容器３は常に加圧された状態となる。
【００３７】
なお、上記アクチュエータ４２は、図７及び図８に示すように、ばね４２０と、リンク４２１，４２２とを備えて、リンク４２１，４２２同士を連結する連結軸４２３を左右一対のアクチュエータ４２，４２で共有しているもので、ばね４２０によるリンク４２１の一端の付勢によって連結軸４２３が押さえ板４０側に突出するものとなっている。
【００３８】
吐出部５は図９、１１、１２に示すように、ベース部５７と、このベース部５７の側面の弧状溝５７２にスライド係合するリブ５０１を備えているヘッド部５０と、ベース部５７とヘッド部５０との間に配されてヘッド部５０を上方に向けて付勢するばね５５，５５と、ヘッド部５０内に上下動自在に配されている可動体５２と、ヘッド部５０の下部に固定されている受け部材５４と、受け部材５４の接続口５４０と上記ベース部５７との間をつなぐ可撓性を有するチューブ５６と、ヘッド部５０の上端面に設けた複数の吐出口５００に夫々配したボール５１とからなるもので、吐出口５００の上端開口径ｄ１はボール５１の直径Ｄより小さく、且つ吐出口５００の下部開口径ｄ２はボール５１の直径Ｄより大きくされており、受け部材５４との間に配されたばね５３によって上方に向けて付勢されている上記可動体５２によって、上記の各ボール５１が回転自在に受けられている。またベース部５７下部には後述するフック係合孔９１０に係合するフック５７３ａを有する接続片５７３と、接続軸５７０が設けられている。接続軸５７０は内部に接続孔５７４を形成しており、接続軸５７０の先端部外径は図１２に示すように接続軸５７０基部の外径よりも小さくなるように形成されている。図中５７１は処理剤容器３の接続口部９が着脱自在に接続される接続軸５７０の外周に装着されて、接続口部９との間のシールを行うＯリングである。
【００３９】
また可動体５２の下方に突出する軸部５２０は受け部材５４を貫通して接続口５４０の下方に突出しているのであるが、この軸部５２０の下端部には逆止弁５２１として機能することになるＯリングが装着されている。図中５４１は受け部材５４の外周とヘッド部５０の内周との間のシール用のＯリング、５６０は屈曲自在なゴム体で形成されて上記チューブ５６の中に配されることでチューブ５６内の流路断面積を小さくしているチューブ芯、５６１はベース部５７内に配されてベース部５７における下部の接続軸５７０からチューブ５６に至る内部流路の断面積を絞って処理剤の流量を一定にする中空パイプである。また特に本実施形態においてはこの中空パイプ５６１によって体毛処理部６付近の処理剤の吐出量が０．０１〜１．００ｇ／分になるように設定している。このように処理剤の吐出量を０．０１ｇ／分以上とすることで、処理剤によって肌に清涼感やしっとり感を与えることができ、且つ吐出量を１ｇ／分以下とすることで処理剤によって肌がべとつくことを防止することができる。
【００４０】
この吐出部５においては、図１３に示すようにベース部５７に対してヘッド部５０がばね５５によって上方へ付勢されており、さらにヘッド部５０に対して可動体５２及びボール５１が上方へ付勢されており、この状態では上記逆止弁５２１が閉じているとともにボール５１が吐出口５００を閉じているが、ヘッド部５０の上端を肌に押し付ければ、図１４に示すようにボール５１及び可動体５２がばね５３に抗して沈んで吐出口５００を開くとともに逆止弁５２１を開くものであり、このために上記加圧手段４で加圧されている処理剤容器３内の処理剤は、接続口部９からベース部５７内とチューブ５６内を通り、開いている逆止弁５２１並びにヘッド部５０内面と可動体５２の溝が形成されている外面との間の空間を通じて吐出口５００から外部へと吐出される。さらに強くヘッド部５０の上端を肌に押し当てれば、ヘッド部５０がばね５５に抗して沈み込むフロート動作がなされる。
【００４１】
加圧手段４で処理剤容器３を常時加圧していることから、処理剤は常に押し出されて吐出部５のヘッド部５０に向かうものの、ヘッド部５０の上端面を肌に押し当てないことには処理剤の吐出がなされないものである。また、上向きだけでなく下向きや横向きに使用されても安定した処理剤の吐出量を維持することができ、処理剤を均一に肌に塗布することができるものとなっている。
【００４２】
図１０は処理剤容器３内の処理剤が減ってきた時点での状態を示しており、さらに図１５〜図１７は処理剤がすべて吐出された時点での状態を示している。このように処理剤が無くなった時には、図１６に示すように、押さえ板４０が体毛処理器具本体１に装着した検知スイッチ４９を押して接点を切り替えるために、本体１内の制御駆動回路を実装した基板１３上に搭載した発光ダイオード１３０が点灯するとともにこの点灯がカバー２における透光部を通じて視認することができるために、使用者は処理剤容器３の取り換え時期にあることを知ることができる。なお、押さえ板４０は処理剤容器３の幅よりも大きく且つ本体１に対する位置決め係止部１０５，１０６も処理剤容器３の外側にくるようにしておくことが好ましい。処理剤容器３内の処理剤の残量を少なくすることができるからである。同様の理由で押さえ板４０の処理剤容器３に接する面は、カバー２の内面と同じ形状としてある。また、押さえ板４０の上端と吐出部５の接続軸５７０に接続される処理剤容器３の剛体からなる接続口部９との間の部分は、押さえ板４０で絞ることができない部分であるが、この部分に関しては、図１５に示すように、本体１及びカバー２からリブ１７を突出させておくとよい。
【００４３】
さらには、処理剤容器３を加圧する上下一対のばね４１，４１については、下方側のばね４１の方を強くしておくとよい。処理剤容器３の下端側から絞るようにして処理剤を押し出すことができるからである。
【００４４】
また以上の例では本体１が髭剃り用の体毛処理部６を備えたものを示したが、図２０に示すように、モータによって回転駆動される脱毛ブロック７０に開閉駆動される脱毛爪７１を設けた脱毛用の体毛処理部７を備えたものであってもよい。
【００４５】
上記髭剃り用と脱毛用の体毛処理器具の処理剤容器３には体毛処理の際に肌の手入れを行うために下記の処理剤が充填される。
【００４６】
処理剤は低級アルコールと水とを主成分とするものであり、以下に処理剤の具体的な成分の１例を挙げる。処理剤の成分は少なくともアルコール約６０重量％、オイル成分２．５重量％、香料０．２重量％を含んでいる（他は水分）。またアルコールの構成比率が１０〜６０重量％である処理剤や、アルコールと水とで構成される処理剤であっても良い。このように処理剤を低級アルコールと水とを主成分とし、処理剤の成分を全て揮発成分乃至液状成分で構成することで、処理剤供給部６の内部である処理剤容器３から外部に吐出するまでの間の流路や処理剤容器３内部にある処理剤は固着しなくなるため、安定した吐出量を得る事ができる。また体毛処理器具を長期間使用したとしても、体毛処理器具内で処理剤が目詰まりを起こすことがなくなる。また処理剤を肌につけて使用したとしても、肌がべとつくことがなくなり、使用者が水で洗顔等する必要がなくなる。
【００４７】
処理剤容器３の取り換えは、カバー２における着脱釦２０１を前述したようにばね付勢に抗して押して本体１との係合を解除することでカバー２を取り外し、古い処理剤容器３を取り外した後、新しい処理剤容器３の接続口部９を吐出部５の接続軸５７０に接続し、カバー２を再度装着することで行う。処理剤容器３から吐出口５００に至る流路の全容積及び流路断面積は小さくされているために、吐出部５の内部への無駄な処理剤の滞留量は少なく、このために初めて処理剤容器３を装填して使用する時にも処理剤の吐出はすぐになされる。なお上記処理剤容器３の接続口部９と吐出部５の接続軸５７０との接続については後に詳述する。
【００４８】
上記の処理剤容器３は処理剤容器３を取り換える際に処理剤容器３内の処理剤がこぼれ出ないようにするために、次のような構成を有している。以下処理剤容器３について詳述する。
【００４９】
図２１に吐出部５から取り外した状態の処理剤容器３を示す。なお以下に示す説明では図中矢印ロを容器本体３１の幅方向とし、矢印ハを容器本体３１の厚み方向としている。
【００５０】
処理剤容器３は扁平で柔軟な袋を有しており、この袋を処理剤を充填する容器本体３１としている。このように容器本体３１を柔軟な袋とすることで、処理剤容器３を圧縮するだけで容易に処理剤容器３内の処理剤を体毛処理部６近傍に供給できるようになる。また、処理剤容器３を取付けた状態においては、容器本体３１が上記のように柔軟な袋となっていることに加えて、処理剤容器３の下流は密閉されているため、安定した定量吐出ができるようになる。
【００５１】
容器本体３１の上端部開口には図１、２２に示すような接続口部９が取りつけられている。接続口部９は平面略長方形状である。なおこの接続口部９の長方形の短辺に平行な方向を接続口部９の厚み方向、長辺に平行な方向を接続口部９の幅方向とする。またこの接続口部９の幅方向及び厚み方向は前述した容器本体３１の幅方向及び厚み方向と一致しており、且つ処理剤容器の幅方向及び厚み方向と一致している。
【００５２】
接続口部９の上部には両側面に溝を有する正面視Ｉ字状の結合体９１を有しており、結合体９１の下端部には略円柱状の筒体９２が設けられている。筒体９２の上端部周側面には溶着部９２０が設けられており、この溶着部９２０に容器本体３１が熱溶着されることで、結合体９１は容器本体３１の開口に取付けられている。筒体９２の外周面の溶着部９２０のすぐ下には開閉弁取付け溝９２１を周設している。また筒体９２の下端部は下方に行くにつれて外径が小さくなるように形成されており、筒体９２の下端部外周に傾斜面９２３を形成している。
【００５３】
上記の接続口部９には上下方向に貫通する貫通孔９３が設けられ、貫通孔９３の上端部を上開口９５、下端部を下開口９６としている。この貫通孔９３は上端部の上孔９３ａと、中央部の上孔９３ａよりも小径の中孔９３ｂと、下端部の中孔９３ｂよりも小径の下孔９３ｃとからなる。上孔９３ａの内周壁上端部には接続口部９の幅方向の外側に凹むフック収納用溝９４を設けており、フック収納用溝９４の下端部は前述した結合体９１の両側面の溝の上端部に開口し、この開口を前述した吐出部５のフック５７３が着脱自在に係合するフック係合孔９１０としている。
【００５４】
接続口部９の筒体９２の傾斜面９２３の接続口部９の厚み方向の両端部には接続口部９の厚み方向外側（容器本体３１の厚み方向）に向けて突出する当接突起９２４が設けられている。
【００５５】
上記接続口部９の下開口９６には図２２、２３に示すような弾性を有する開閉弁３３が着脱自在に設けられている。開閉弁３３は有底筒形状を有しており、有底部３３０と、有底部３３０の外周端部から上方に突出した円筒部３３１とからなる。円筒部３３１の上端部には内側に向かって突出する係合突起３３３が設けられており、前述した接続口部９の開閉弁取付け溝９２１に係合し、これにより開閉弁３３を接続口部９に取付けている。有底部３３０の上面中央部には曲面を上にして半球体３３２が設けられており、この半球体３３２を接続口部９の下開口９６を封止する開閉弁３３の厚肉部とし、開閉弁３３の厚肉部以外の部分を薄肉部としている。すなわち、薄肉部は弾性変形し易い箇所となっており、厚肉部は弾性変形し難い箇所となっている。開閉弁３３は薄肉部の弾性によって半球体３３２の外周面を接続口部９の下開口９６に圧接しており、これによって半球体３３２の外周面によって接続口部９の下開口９６を塞いでいる。すなわち接続口部９の下開口９６は閉じた状態となっている。上記のように接続口部９に開閉弁３３を設けることで、開閉弁３３によって接続口部９を閉じることができ、処理剤容器３を傾けたとしても処理剤がこぼれることがなく使い勝手が良い。また開閉弁３３は弾性を有しているので、処理剤容器３を処理剤供給部に取付けた状態において体毛処理器具が振動したとしても、処理剤供給部と処理剤容器との接触部分での摩耗が少なく、開閉弁３３が削れる等して処理剤の流路が目詰まりを起こすこと防止することができる。
【００５６】
またこの場合、前述した接続口部９の筒体９２の傾斜面９２３に設けた当接突起９２４の先端面は図１９に示すように開閉弁３３の薄肉部（円筒部３３１）の容器本体３１の厚み方向における内側面に当接しており、これによって薄肉部が容器本体３１が薄肉部を挟み込む方向に変形しなくなり、厚肉部が処理剤容器３の厚み方向に変位し難いように又は変位しないようにしている。このような構成とすることで、処理剤容器３の取り換えの際において、開閉弁３３付近の処理剤容器３を使用者が持ち易い容器本体３の厚み方向と同方向に挟み込むように持ったとしても、開閉弁３３の厚肉部が変形することがなく、取り換え時に接続口部９から処理剤容器３内の処理剤が漏れ出すことを防止することができる。また、特に接続口部９に当接突起９２４を設けることで、薄肉部に容器本体３１の厚み方向と同方向に力がかかったとしても、薄肉部が変形することがなく、これによって簡単な構成で厚肉部の変形を防止することができ、尚且つ当接突起９２４を設けていない傾斜面９２３（接続口部９の厚み方向の両端部以外の部分）と開閉弁３３の円筒部３３１内側面との間には隙間が形成されるため、当接突起９２４を設けていない箇所は薄肉部と接続口部９との間に隙間を形成することになり、これによって薄肉部は容器本体３１の厚み方向以外は変形し易くなり、厚肉部が上方から押された場合、より少ない力で弾性変形させることが可能となっている。
【００５７】
半球体３３２の中心部には上方に突出する平面視十字状の十字突起３３４が設けられており、十字突起３３４の直交する片はそれぞれ接続口部９の幅方向と厚み方向とに平行に伸びている。本実施例ではこの十字突起３３４の上端面を開閉弁３３の被当たり面３３８としており、この被当たり面３３８は半球体３３２の上面との間の距離は０．２〜３ｍｍとなっており、後述する被当たり面３３８に当接する接続軸５７０の下端面（当たり面）と、開閉弁の半球体３３２の接続軸５７０の下端面（当たり面）に対向する面との間の隙間が０．２〜３ｍｍと設定している。有底部３３０の平面視で半球体３３２の接続口部９の幅方向において外側に位置する部分には連通孔３３５が設けられている。
【００５８】
なお上記の開閉弁３３をエチレンプロピレンゴム（ＥＰＤＭ）、ニトリルブタジエンゴム（ＮＢＲ）、フッ素ゴムのうち少なくとも一種類以上の材料で形成してなることが好ましい。このように、エチレンプロピレンゴム（ＥＰＤＭ）、ニトリルブタジエンゴム（ＮＢＲ）、フッ素ゴムで開閉弁３３を形成することで、開閉弁３３の耐薬品性を向上することができ、またエチレンプロピレンゴム（ＥＰＤＭ）、ニトリルブタジエンゴム（ＮＢＲ）、フッ素ゴムはアルコール透過性が小さいため、前述したようなアルコールを含んだ処理剤を用いた場合、アルコールの揮発を防止することができる。
【００５９】
また上記の処理剤容器３を処理剤供給部から取り外した状態において、接続口部９を塞いで処理剤が漏れ出ないようにするために、接続口部９の上開口９５には栓キャップ８が着脱自在に取付けられている。この栓キャップ８は図２０、２１、２４に示すように円板上の頭部８０と、頭部８０の平面視中央部から下方に突出する円柱状の円柱部８１からなる。円柱部８１の周側面下部には貫通孔９３と略同じ径を有し外方に突出する突片８１０を周設している。本実施形態ではこの突片８１０を上下方向に複数条（図では２条）周設しており、これら突片８１０は接続口部の上孔９３ａに嵌合自在となっている。これによってを貫通孔９３を密閉した状態で封止している。しかして、処理剤容器３を処理剤供給部から取り外した状態において、栓キャップ８を取付けることで接続口部９を塞いで、より一層処理剤が漏れ出ないようにすることができる。また栓キャップ８の取付けによって外部から接続口部９内にゴミ等が入りこむことを防止することができる。
【００６０】
上記の処理剤容器３を処理剤供給部の主体を構成する吐出部５の接続軸５７０に取付ける場合は図２５に示すように、接続口部９の貫通孔９３にベース部５７下部の接続軸５７０を挿入すると共に、フック用収納溝９４に吐出部５の接続片５７３を入れフック係合孔９１０にフック５７３ａを係合させる。この状態では接続軸５７０に設けたＯリング５７１は接続口部９の中孔９３ｂに位置しており、Ｏリング５７１より下方の処理剤が外部に漏れ出ないようにしている。上記のように処理剤容器３を接続軸５７０に取付けることにより、接続軸５７０の下端面である当たり面５７８は開閉弁３３の十字突起３３４の被当たり面３３８に当たり十字突起３３４を下方に押し込み、開閉弁３３の薄肉部を変形させて厚肉部を下方に押し込み、厚肉部外周面と接続口部９の筒体９２の下端面との間に隙間を形成する。この隙間が形成されることによって処理剤容器３内と接続軸５７０の接続孔５７４とが連通することとなる。つまり処理剤容器３圧縮時には処理剤の流れは図中矢印に示すように開閉弁３３の連通孔３３５、厚肉部と接続口部９の筒体９２の下端との間の隙間、十字突起３３４の平面視直交する片の間の隙間と順に通り、接続軸の接続孔５７４に入り、体毛処理部６に処理剤を供給することとなる。このように処理剤供給部から処理剤容器３を着脱するだけで、開閉弁３３は接続口部９を開閉するため、小さな力で簡単に処理剤供給部に処理剤容器３を取付けることができる。また薄肉部の弾性変形を利用して開閉弁３３を開閉するため小さな力で開閉弁３３を開閉できるようになり、且つ変形のし難い厚肉部によって接続口部９を確実に封止することができる。また厚肉部を半球状に形成することで、接続口部９を開閉する際に接続口部９に対し厚肉部がずれたり、薄肉部が成形のバラツキ等により形状が多少変わったりしたとしても、半球状の厚肉部で円形状の接続口部９を確実に封止することができる。さらに開閉弁３３は弾性を有しているので、処理剤容器３を処理剤供給部に取付けた状態においてモータ等の振動により体毛処理器具が振動したとしても、処理剤供給部である接続軸５７０と処理剤容器３の開閉弁３３との接触部分での摩耗は少なく、処理剤の流路において目詰まりを起こすことがなくなり、処理剤の吐出量を安定させることができる。さらに厚肉部を半球状に形成することで、接続口部９を開閉する際において、接続口部９に対して厚肉部がずれたり、薄肉部が成形のばらつき等により多少形状が変わったりしたとしても、半球状の厚肉部で円形状の接続口部９を確実に封止することができる。接続軸５７０の当たり面５７８と開閉弁３３の当たり面５７８に対向する面と間の隙間が０．２〜３ｍｍとすることで、隙間を３ｍｍよりも大きくなるように設定したものと比べて開閉弁３３の十字突起３３４の変形を抑え、これにより開閉弁３３は長期間処理剤容器３を取付けたとしても変形し難くなる。
【００６１】
また、上記の処理剤供給部に接続した処理剤容器３を取り外す場合は、フック係合孔９１０とフック５７３との係合を解除すると共に接続口部９の貫通孔９３から接続軸５７０を引き抜くことで行われる。この場合、接続軸５７０が上方に引き抜かれると厚肉部は薄肉部の弾性により上方へ上がり下孔９３ｃを塞ぎ、前述した処理剤容器３を処理剤供給部に接続していない状態へと戻る。
【００６２】
次に上記とは異なる実施形態を図２６〜２８に示す。本実施形態においては上記開閉弁３３の厚肉部の容器本体３１の厚み方向と同方向における両端部付近に位置する薄肉部に長孔３３６を設けた点に特徴があり、基本的には上記実施形態と同じような作用をするものであるので、重複する部分については説明を省略する。
【００６３】
本実施形態においては、図２６、２８に示すような開閉弁３３を接続口部９の筒体９２の下端部に取り付ける。具体的には開閉弁３３の円筒部３３１に半球体３３２の直径と略同じ長さを有する扇形の長孔３３６を設ける。この長孔３３６は厚肉部である半球体３３２の容器本体３１の厚み方向と同方向における両外側付近に位置している。このように薄肉部（円筒部３３１）に長孔３３６を設けることで、処理剤容器３の取り換え時に開閉弁３３付近の処理剤容器３を容器本体３１の厚み方向と同方向に挟み込むように持ったとしても、薄肉部は長孔３３６よりも外側だけが変形するだけで、図２７に示すように長孔３３６によって厚み方向に挟み込む力が厚肉部に伝わることがなく、これによって厚肉部の変形を押さえることができ、処理剤容器３の取り換え時に開閉弁３３付近の処理剤容器３を容器本体３１の厚み方向と同方向に挟み込むように持ったとしても厚肉部を接続軸５７０の下孔９３ｃに当接した状態に維持することができ、処理剤容器３内の処理剤が漏れ出すことがなくなる。またこのように長孔３３６を設けるだけで厚肉部の変形を防止できるため、コスト削減を行うことが可能となる。なお、上記では接続軸５７０に当接突起９２４を設けていない例を示したが当設突起９２４と長孔３３６とを両方設けてもよく、この場合、より一層開閉弁３３付近の処理剤容器３を厚み方向に挟み込む動作によって処理剤が溢れ出ることを防止することができる。
【００６４】
次に上記の図１、図２６の実施形態とは更に異なる実施形態を図２９に示す。まず処理剤容器３を処理剤供給部に取付けていない状態について説明する。接続口部９に上記実施形態とは異なる形状の貫通孔９３を設け、この貫通孔９３の内周壁に円筒状の開閉弁３３を設けた。円筒状の開閉弁３３の下部は弾性を有する弁体９７となっている。この弁体９７は処理剤容器３を処理剤供給部に取付けていない状態において、図３０に図示されるように弁体９７の内周壁の下端部が密接するように形成されており、これによって接続口部５７０の貫通孔９３を閉じた状態とし、処理剤容器３内の処理剤がこぼれ出ることを防止している。
【００６５】
図３０は上記の開閉弁３３を有する処理剤容器３を処理剤供給部に取付けた状態を示す。処理剤容器３の取付けは、円筒状の開閉弁３３の上端部開口より処理剤供給部の主体を構成する吐出部５の接続軸５７０を接続軸５７０の先端が開閉弁の弁体９７に位置するまで挿入することで行われる。このように接続軸５７０を開閉弁３３に挿入することで、弁体９７の下端部は図３０に示すように開口し、これによって接続軸５７０の接続孔５７４と処理剤容器３内とが連通することとなる。このように処理剤供給部から処理剤容器３を着脱によって弾性変形するため、小さな力で処理剤供給部に処理剤容器３を取付けることができ、接続口部９を開くことができる。なお本実施形態においては、図中に示したように接続軸５７０の外周面の中央部付近に突体３３７を周設しており、この突体３３７によって接続軸５７０の外周壁と開閉弁３３の内周壁とを密閉し、接続軸５７０の外周壁と開閉弁３３の内周壁との隙間から処理剤が漏れ出すことを防止している。またこの場合、開閉弁３３は接続口部９の貫通孔９３に収まっているため、処理剤容器３交換の際に接続口部９を持つ等して、接続口部９に力がかかったとしても、その力が開閉弁３３に伝わることがなく、処理剤容器３交換の際に使用者が持ちやすい接続口部９を持ったとしても処理剤容器３内の処理剤が漏れ出ることがない。さらに構造が簡単なので安価に製造することができる。
【００６６】
【発明の効果】
上記のように本発明の請求項１記載の発明にあっては、処理剤供給部から処理剤容器を着脱することで、開閉弁は弾性変形し接続口部を開閉するため、小さな力で容易に処理剤供給部に処理剤容器を着脱することができる。また処理剤容器を処理剤供給部から取り外した場合は開閉弁によって接続口部を閉じるため、処理剤容器を傾けたとしても処理剤がこぼれることがなく使い勝手が良くなる。さらに開閉弁は弾性を有しているので、処理剤容器を処理剤供給部に取付けた状態において体毛処理器具が振動したとしても、処理剤供給部と開閉弁との接触部分での摩耗は少なく、処理剤の流路において目詰まりを起こすことがなくなり、処理剤の安定した定量吐出を行うことができる。
【００６７】
また請求項２記載の発明にあっては、上記請求項１記載の発明の効果に加えて、薄肉部の弾性変形を利用してより一層小さな力で開閉弁を開閉できるようになり、且つ変形のし難い厚肉部によって接続口部を確実に封止することができる。
【００６８】
また請求項３記載の発明にあっては、上記請求項２記載の発明の効果に加えて厚肉部を半球状に形成することで、接続口部を開閉する際に接続口部に対し厚肉部がずれたり、薄肉部が成形のバラツキ等により形状が多少変わったりしたとしても、半球状の厚肉部で円形状の接続口部を確実に封止することができる。
【００６９】
また請求項４記載の発明にあっては、上記請求項１〜３のいずれかに記載の発明の効果に加えて、処理剤容器を圧縮するだけで容易に処理剤容器内の処理剤を体毛処理部近傍に供給できるようになる。
【００７０】
また請求項５記載の発明にあっては、上記請求項４記載の発明の効果に加えて、処理剤容器３取り換えの際において、開閉弁付近の処理剤容器を厚み方向に挟み込むように持ったとしても、開閉弁の厚肉部が変形することがなく、取り換えの際に接続口部から処理剤容器内の処理剤が漏れ出すことを防止することができる。
【００７１】
また請求項６記載の発明にあっては、上記請求項５記載の発明の効果に加えて、薄肉部に長孔を設けることで、処理剤容器３の取り換え時に開閉弁付近の処理剤容器を厚み方向に挟み込むように持ったとしても、長孔によって厚み方向に挟み込む力が厚肉部に伝わることがなくなり、長孔を設けるだけで厚肉部の変形を防止できる。
【００７２】
また請求項７記載の発明にあっては、上記請求項５記載の発明の効果に加えて、接続口部に当接突起を設けることで、薄肉部に処理剤容器の厚み方向に力がかかったとしても、薄肉部が変形することがなく、これによって厚肉部の変形を防止することができ、尚且つ当接突起を設けていない箇所は薄肉部と接続口部との間に隙間を形成するため、薄肉部は処理剤容器の厚み方向以外の方向には変形しやすくなっており、処理剤容器を着脱する際に少ない力で容易に弾性変形することが可能となっている。
【００７３】
また請求項８記載の発明にあっては、上記請求項１〜７のいずれかに記載の発明の効果に加えて、処理剤容器を処理剤供給部から取外した状態において、接続口部の上開口を閉じることができ、より一層処理剤がこぼれ出ることを防止することができる。
【００７４】
また請求項９記載の発明にあっては、上記請求項１記載の発明の効果に加えて、接続軸の当たり面と開閉弁の当たり面に対向する面と間の隙間が０．２〜３ｍｍとすることで、隙間を３ｍｍよりも大きくなるように設定したものと比べて開閉弁の変形を抑え、これにより開閉弁は長期間処理剤容器を取付けたとしても変形し難くなる。
【００７５】
また請求項１０記載の発明にあっては、上記請求項１〜９のいずれかに記載の発明の効果に加えて、処理剤の吐出量を０．０１ｇ／分以上とすることで、処理剤によって肌に清涼感やしっとり感を与えることができ、且つ吐出量を１ｇ／分以下とすることで処理剤によって肌がべとつくことを防止することができ、適度なウエット感のある髭剃りを行うことができる。
【００７６】
また請求項１１記載の発明にあっては、上記請求項１〜１０のいずれかに記載の発明の効果に加えて、エチレンプロピレンゴム（ＥＰＤＭ）、ニトリルブタジエンゴム（ＮＢＲ）、フッ素ゴムで開閉弁を形成することで、開閉弁の耐薬品性を向上することができ、またエチレンプロピレンゴム（ＥＰＤＭ）、ニトリルブタジエンゴム（ＮＢＲ）、フッ素ゴムはアルコール透過性が小さいため、特にアルコールを含んだ処理剤を用いた場合、アルコールの揮発を防止することができる。
【００７７】
また請求項１２記載の発明にあっては、上記請求項１〜１１のいずれかに記載の発明の効果に加えて、吐出手段を体毛処理器具本体に設けることで、カバー着脱の際に吐出手段が邪魔にならず、吐出部と処理剤容器を設けたカバーを容易に着脱することが可能となる。
【図面の簡単な説明】
【図１】本発明の実施の形態の一例を示す体毛処理器具の処理剤容器の要部断面図である。
【図２】同上の体毛処理器具を示す縦断面図である。
【図３】同上の側面図である。
【図４】同上の正面図である。
【図５】同上の水平断面図である。
【図６】同上のカバーを示す図であり、（ａ）は正面図、（ｂ）は側面図、（ｃ）は水平断面図である。
【図７】同上の体毛処理器具本体からカバーを取り外した状態を示す縦断面図である。
【図８】同上の体毛処理器具本体の分解斜視図である。
【図９】同上の処理剤吐出関係部材の分解斜視図である。
【図１０】同上の体毛処理器具の縦断面図である。
【図１１】同上の吐出部の分解斜視図である。
【図１２】同上の吐出部の縦断面図である。
【図１３】同上の吐出部の横断面図である。
【図１４】同上の吐出部の処理剤吐出時の横断面図である。
【図１５】同上の体毛処理器具の縦断面図である。
【図１６】同上の縦断面図である。
【図１７】同上の水平断面図である。
【図１８】同上のカバーを外した状態の正面図である。
【図１９】同上の処理剤容器の要部縦断面図である。
【図２０】他の実施の形態の一例を示す縦断面図である。
【図２１】同上の処理剤容器を示す斜視図である。
【図２２】同上の処理剤容器を示す分解斜視図である。
【図２３】同上の接続口部を示すものであり（ａ）は側面図、（ｂ）は下面図である。
【図２４】同上の処理剤容器の接続口部に栓キャップを取り付けた状態を示す横断面図である。
【図２５】同上の処理剤供給部に処理剤容器を接続した状態を示す一部横断面図である。
【図２６】  別の実施形態を示す処理剤容器の要部拡大図であり、（ａ）は縦断面図であり、（ｂ）は水平断面図である。
【図２７】同上の処理剤容器に厚み方向に力がかかった状態を示す図であり、（ａ）は縦断面図であり、（ｂ）は水平断面図である。
【図２８】同上の開閉弁を示す斜視図である。
【図２９】更に別の実施形態を示す処理剤容器の要部拡大図であり、（ａ）は横断面図であり、（ｂ）は縦断面図であり、（ｃ）は下面図である。
【図３０】同上の処理剤容器を処理剤供給部に取付けた状態を示すものであり、（ａ）は要部横断面図であり、（ｂ）は要部縦断面図であり、（ｃ）は下面図である。
【符号の説明】
１    体毛処理器具本体
２    カバー
３    処理剤容器
５    吐出部
６    体毛処理部
８    栓キャップ
９    接続口部
３１  容器本体
３３  開閉弁
３３６  長孔
５７０  接続軸
５７８  当たり面
９２４  当接突起
【図１】
0004374824.tif 000002
【図２】
0004374824.tif 000003
【図３】
0004374824.tif 000004
【図４】
0004374824.tif 000005
【図５】
0004374824.tif 000006
【図６】
0004374824.tif 000007
【図７】
0004374824.tif 000008
【図８】
0004374824.tif 000009
【図９】
0004374824.tif 000010
【図１０】
0004374824.tif 000011
【図１１】
0004374824.tif 000012
【図１２】
0004374824.tif 000013
【図１３】
0004374824.tif 000014
【図１４】
0004374824.tif 000015
【図１５】
0004374824.tif 000016
【図１６】
0004374824.tif 000017
【図１７】
0004374824.tif 000018
【図１８】
0004374824.tif 000019
【図１９】
0004374824.tif 000020
【図２０】
0004374824.tif 000021
【図２１】
0004374824.tif 000022
【図２２】
0004374824.tif 000023
【図２３】
0004374824.tif 000024
【図２４】
0004374824.tif 000025
【図２５】
0004374824.tif 000026
【図２６】
0004374824.tif 000027
【図２７】
0004374824.tif 000028
【図２８】
0004374824.tif 000029
【図２９】
0004374824.tif 000030
【図３０】
0004374824.tif 000031